(57)【要約】【課題】人が通行しないことを前提として、必要な荷重強度を得つつ軽量化、低コスト化を図ることのできる合理的な浮蓋を提供する。【解決手段】水槽や水路の上部開口を覆う浮蓋であって、多数の長方形の蓋体が並列に並べられ、該蓋体同士が、その幅方向にワイヤーまたはロープにて、相互間の間隔が可変な状態にて連結されている浮蓋である。【選択図】  図１
2004238041.tif 000002
【特許請求の範囲】
【請求項１】
水槽や水路の上部開口を覆う浮蓋であって、多数の長方形の蓋体が並列に並べられ、該蓋体同士が、その幅方向にワイヤーまたはロープにて、相互間の間隔が可変な状態にて連結されていることを特徴とする浮蓋。
【請求項２】
上記蓋体同士のワイヤーまたはロープによる連結が、各蓋体上に固定された金具を介して行われる浮蓋であって、各金具は蓋体に対して、その頂部が該蓋体の上面より下方となるように固定されており、前記蓋体の上面の前記ワイヤーまたはロープに対応する部分に凹溝が設けられていて、該凹溝内に前記ワイヤーまたはロープが収納可能とされていることを特徴とする請求項１に記載の浮蓋。
【請求項３】
上記蓋体同士のワイヤーまたはロープによる連結が、各蓋体上に回動自在に設けられた取手を介して行われる浮蓋であって、各取手は蓋体に対して、その頂部が該蓋体の上面より下方となるように収納することができるようになっており、前記蓋体の上面の前記ワイヤーまたはロープに対応する部分に凹溝が設けられていて、該凹溝内に前記ワイヤーまたはロープが収納可能とされていることを特徴とする請求項１に記載の浮蓋。
【請求項４】
水槽や水路の上部開口を覆う浮蓋であって、多数の長方形の蓋体が並列に並べられ、その蓋板の隣接する側縁部間が、一つおきに上下逆側となるように蝶番にて連結されていて、各蝶番の部分にて折りたたみ可能とされていることを特徴とする浮蓋。
【発明の詳細な説明】
【０００１】
【発明の属する技術分野】
本発明は、本発明は、浄水場や下水処理場等における水槽や水路の上部開口を覆うことにより遮光や防臭を行うための浮蓋に関するものである。
【０００２】
【従来の技術】
従来、水槽や水路を覆う蓋体は、所定の荷重強度や長期間の耐久性が要求される。特に蓋受け部の受け枠間隔が長い架設場所では、蓋体自体がロングスパンに対応して大型になるため、蓋体自体の強度が要求されると共に軽量であることが要求される。
【０００３】
このような蓋体は近時、軽量で耐久性を有する繊維強化プラスチック（ＦＲＰ）などの素材で成したものが用いられ、最近ではガラス長繊維強化プラスチック発泡体を素材とした合成木材を用いて成されたものが広く用いられている。
図１３は、ロングスパン用として用いられるアーチ型蓋体１００の一例を示す斜視図である（例えば、特許文献１参照）。
【０００４】
蓋体１００は、凸型アーチ状の上弦材１０１の長手両端部間に下弦材１０２を掛け渡し、上弦材１０１と下弦材１０２との間に垂直材１０３および斜材１０４を介設した本格的なトラス構造の上部に蓋体１０５を接合した構造であり、ロングスパン用として充分な強度を有している。
【０００５】
則ち、ロングスパン用の蓋体１００は長尺になるため、架設場所の要求する荷重強度を要するのは勿論のこと、運搬時や架設時の作業性を向上するために蓋体１００自体の剛性が要求される。図１４に示すような本格的なトラス構造を有した蓋体２００は、例えば、幅６０ｃｍ、長さ５ｍのタイプで６０ｋｇｆ／枚もの重量があり架設工事が大がかりになり、蓋体２００自体のコストも高い。
【０００６】
ところで、架設環境によっては人が蓋体の上に乗ったり通行する必要がない場所もある。
ところが、ロングスパン用の蓋体としては、これまで前記した本格的なトラス構造を有するもの、または、軽量鋼材を芯材にしたＦＲＰ製蓋しかなかった。このため、ロングスパンの架設場所では人が乗らないような場合でも前記したような重い蓋体を用いるため、架設が大がかりでコストが嵩んでいた。
【０００７】
【特許文献１】
特開２０００−８８８９３号公報（段落〔０００３〕〜〔０００５〕、図７）
【０００８】
【発明が解決しようとする課題】
本発明はこのような事情に鑑みて提案されるもので、人が通行しないことを前提として、必要な荷重強度を得つつ軽量化、低コスト化を図ることのできる合理的な浮蓋を提供することを目的としてなされたものである。
【０００９】
【課題を解決するための手段】
本願の請求項１に係る発明は、水槽や水路の上部開口を覆う浮蓋であって、多数の長方形の蓋体が並列に並べられ、該蓋体同士が、その幅方向にワイヤーまたはロープにて、相互間の間隔が可変な状態にて連結されている浮蓋である。
【００１０】
本願の請求項２に係る発明は、さらに、上記蓋体同士のワイヤーまたはロープによる連結が、各蓋体上に固定された金具を介して行われる浮蓋であって、各金具は蓋体に対して、その頂部が該蓋体の上面より下方となるように固定されており、前記蓋体の上面の前記ワイヤーまたはロープに対応する部分に凹溝が設けられていて、該凹溝内に前記ワイヤーまたはロープが収納可能とされている浮蓋である。
【００１１】
本願の請求項３に係る発明は、さらに、上記蓋体同士のワイヤーまたはロープによる連結が、各蓋体上に回動自在に設けられた取手を介して行われる浮蓋であって、各取手は蓋体に対して、その頂部が該蓋体の上面より下方となるように収納することができるようになっており、前記蓋体の上面の前記ワイヤーまたはロープに対応する部分に凹溝が設けられていて、該凹溝内に前記ワイヤーまたはロープが収納可能とされている浮蓋である。
【００１２】
本願の請求項４に係る発明は、水槽や水路の上部開口を覆う浮蓋であって、多数の長方形の蓋体が並列に並べられ、その蓋板の隣接する側縁部間が、一つおきに上下逆側となるように蝶番にて連結されていて、各蝶番の部分にて折りたたみ可能とされている浮蓋である。
【００１３】
本発明において、蓋体の材質としては、繊維強化硬質樹脂発泡体を素材とする合成木材であることが好ましい。
則ち、紫外線劣化を受けないガラス繊維強化プラスチック発泡体の板材で成された蓋体であれば、耐久性、加工性が向上すると共に軽量化を実現できる。さらに好ましくは、蓋体を構成する板材は、長手方向に向けて埋設した長繊維で補強した樹脂（これを「合成木材」という）により形成することができ、より好ましくはガラス長繊維を長手方向に引き揃えて埋設した熱硬化性樹脂発泡体により形成することができる。また、上記合成木材単体からなる板材によって蓋体を構成してもよいが、合成木材や樹脂発泡体などからなる板材を上下に積層してなる複合材により蓋体を形成することもできる。なお、合成木材の密度は、一般的には５００〜１０００ｋｇ／ｍ３  （０．５〜１．０ｇ／ｃｍ３  ）であり、補強材である長繊維の含有量は４０〜６０重量％程度のものとすることができる。長繊維としては、無機質、有機質のいずれを使用してもよいが、ガラス繊維を使用することが好ましい。熱硬化性樹脂発泡体としては、硬質ポリウレタン樹脂や硬質ポリエステル樹脂を好適に使用できる。
【００１４】
発泡体における発泡樹脂の種類としては、例えば、ウレタン樹脂、エポキシ樹脂、ビニルエステル樹脂、不飽和ポリエステル樹脂、フェノール樹脂などの熱硬化性樹脂であって硬質のものが好適に使用される。尚、圧縮強度の向上や低コスト化を図るために、発泡樹脂中に炭酸カルシウム、石膏、タルク、水酸化アルミニウム、クレーなどの無機充填材や、シラスバルーン、パーライト、ガラスバルーンなどの軽量骨材を添加しても良い。
【００１５】
また、発泡体を補強する繊維としては、例えば、ガラス繊維、炭素繊維、金属繊維などの無機質繊維、天然繊維、合成樹脂などの有機質繊維のいずれであっても良いが、強度や経済性の面からガラス繊維が適している。ガラス繊維としては、ガラスロービング、ガラスロービングクロス、ガラスマット、コンティニュアスストランドマットなどの形態のものが挙げられる。この繊維は、単独で使用しても良いし、二層以上積層して使用しても良く、また、長繊維と短繊維を混ぜて使用しても良い。尚、ガラス長繊維を長手方向に引き揃えて補強繊維としたガラス長繊維強化硬質ウレタン発泡体（例えば、積水化学工業株式会社製  商品名「エスロンネオランバーＦＦＵ」など）を採用するのが、軽量化、耐久性および加工性の確保のために最も好ましい。
【００１６】
蓋体は、上記の材質のものに限定されることなく、例えば、繊維強化硬質樹脂発泡体を素材とする合成木材や合成樹脂パイプからなる枠体１１の上面に、ネット、フィルム、板、多孔板等からなる遮光材がが貼設されたものであっても構わない。
【００１７】
【作用】
本発明１の浮蓋は、多数の長方形の蓋体が並列に並べられ、該蓋体同士が、その幅方向にワイヤーまたはロープにて、相互間の間隔が可変な状態にて連結されていることにより、構造が簡単で軽量であるので、水槽や水路等の駆体に荷重をかけることなく、簡単に水槽や水路を覆ってその遮光や防臭を行うことができ、また、水槽や水路の処理水上に浮かべて使用した状態から開蓋する際にも、ぐるぐる巻きに巻き上げるようにして場所をとることなく簡単に収納することができ、且つ安価である。
また、浮蓋寸法と間隔の大きさを適宜選択することにより、遮光率を７０〜９０％程度まで容易に調節でき、防藻対策にも利用できる。
【００１８】
上記蓋体同士のワイヤーまたはロープによる連結が、各蓋体上に固定された金具を介して行われる浮蓋であって、各金具は蓋体に対して、その頂部が該蓋体の上面より下方となるように固定されており、前記蓋体の上面の前記ワイヤーまたはロープに対応する部分に凹溝が設けられていて、該凹溝内に前記ワイヤーまたはロープが収納可能とされていると、水槽や水路の処理水上に浮かべて使用した状態から、ぐるぐる巻きに巻き上げるようにして開蓋したときに、金具やワイヤーを蓋体の上面から突出しない状態となすことができるので、巻き上げが容易となる。
【００１９】
上記蓋体同士のワイヤーまたはロープによる連結が、各蓋体上に回動自在に設けられた取手を介して行われる浮蓋であって、各取手は蓋体に対して、その頂部が該蓋体の上面より下方となるように収納することができるようになっており、前記蓋体の上面の前記ワイヤーまたはロープに対応する部分に凹溝が設けられていて、該凹溝内に前記ワイヤーまたはロープが収納可能とされていると、水槽や水路の処理水上に浮かべて使用した状態から、ぐるぐる巻きに巻き上げるようにして開蓋したときに、取手やワイヤーを収納した状態となすことができるので、巻き上げが容易となる。
【００２０】
本発明の浮蓋は、水槽や水路の上部開口を覆う浮蓋であって、多数の長方形の蓋体が並列に並べられ、その蓋板の隣接する側縁部間が、一つおきに上下逆側となるように蝶番にて連結されていて、各蝶番の部分にて折りたたみ可能とされていることにより、構造が簡単で軽量であるので、水槽や水路等の駆体に荷重をかけることなく、簡単に水槽や水路を覆ってその防臭を行うことができ、また、水槽や水路の処理水上に浮かべて使用した状態から開蓋する際にも、折りたたむようにして場所をとることなく簡単に収納することができ、且つ安価である。
【００２１】
【発明の実施の形態】
以下、本発明の実施の形態を図面を参照して説明する。
【００２２】
図１は本発明の浮蓋の一例を示す説明図である。
この浮蓋１は、多数の長尺の蓋体１１と、これらを連結する１本のワイヤー１２とからなる。
各蓋体１１は、繊維強化硬質樹脂発泡体を素材とする合成木材からなる長方形のものであって、長手方向の中央部の両側縁部上面に、ワイヤー連結用の金具１１１，１１１が固定されている。各金具１１１は、挿通されるワイヤー１２の外径よりも若干大きな内径を有するワイヤー挿通孔１１１ａを有している。
この浮蓋１は、多数の蓋体１１が並列に並べられ、各蓋体１１の金具１１１のワイヤー挿通孔１１１ａに１本のワイヤー１２が挿通されるようにして、１本のワイヤー１２により、相互間に間隔が可変状態にて連結された構造となっている。
【００２３】
この浮蓋１は、図２に示すように、浄水場や下水処理場等における水槽や水路Ｓにて、その処理水上に浮かべるようにして使用される。
【００２４】
図３は本発明の浮蓋の別の例を示す説明図である。
この浮蓋２は、多数の長方形の蓋体２１と、これらを連結する２本のワイヤー２２，２２と、ワイヤー２２が挿通され、多数の蓋体２１間に介在される多数のスペーサー２３とからなる。
各蓋体２１は、繊維強化硬質樹脂発泡体を素材とする合成木材からなる長尺板であって、両端部の両側縁部上面に、ワイヤー連結用の金具２１１，２１１，２１１，２１１が固定されている。各金具２１１は、挿通されるワイヤー２２の外径よりも若干大きな内径を有するワイヤー挿通孔を有している。
各スペーサー２３は、挿通されるワイヤー２２の外径よりも若干大きな内径を有する短筒体からなる。
なお、スペーサーの形状は上記のものに限定されず、例えば、短筒体の縦方向にスリット部が形成されているものからなり、ワイヤーにそのスリット部を挿通するようにして、容易に装着することができるようにされたものであれば、おい。
【００２５】
この浮蓋２は、多数の蓋体２１が並列に並べられ、各蓋体２１の両端部の金具２１１，２１１の各ワイヤー挿通孔に、それぞれ、ワイヤー１２が挿通されるようにして、２本のワイヤー１２により、相互間に間隔が可変状態にて連結された構造となっている。
蓋体２１間におけるワイヤー２２には、それぞれ、スペーサー２３が被覆されていて、スペーサー２３の長さ以上の間隙が相互間に形成されるようになっている。
【００２６】
図４は本発明の浮蓋の更に別の例を示す説明図である。
この浮蓋３は、多数の長方形の蓋体３１と、これらを連結する２本のワイヤー３２，３２とからなる。
各蓋体３１は、繊維強化硬質樹脂発泡体を素材とする合成木材からなる長尺板であって、その一側縁の両端部に、側方に突出する金具３１１，３１１が設けられている。各金具３１１には、挿通されるワイヤー３２の外径よりも若干大きな内径を有するワイヤー挿通孔を有している。
この浮蓋３は、多数の蓋体３１が並列に並べられ、各蓋体３１の両端部の金具３１１，３１１の各ワイヤー挿通孔に、それぞれ、ワイヤー３２が挿通されるようにして、２本のワイヤー３２により、相互間に間隔が可変状態にて連結された構造となっている。
この浮蓋３は、多数の蓋体３１１が並列の並べられたとき、金具３１１，３１１の側方への突出長さ以上の間隙が相互間に形成されるようになっている。
【００２７】
図５は本発明の浮蓋の更に別の例を示す説明図である。
この浮蓋４は、多数の長尺の蓋体４１と、これらを連結する２本のワイヤー４２とからなる。
各蓋体４１は、繊維強化硬質樹脂発泡体を素材とする合成木材からなる長方形のものであって、両端部の一側縁部に、ワイヤー連結用のＬ字状の金具４１１，４１１が、その一片が側方に突出して立設されるようにして他片が固定されている。各金具４１１の一片は、挿通されるワイヤー４２の外径よりも若干大きな内径を有するワイヤー挿通孔４１１ａを有している。
【００２８】
この浮蓋４は、多数の蓋体４１が並列に並べられ、各蓋体４１の両端部の金具４１１のワイヤー挿通孔４１１ａに、それぞれ、ワイヤー４２が挿通されるようにして、２本のワイヤー４２により、相互間に間隔が可変状態にて連結され、金具４１１の一片の突出長さ以上の間隙が相互間に形成されるような構造となっている。
【００２９】
図６は本発明の浮蓋の更に別の例を示す説明図である。
この浮蓋５は、多数の長方形の蓋体５１と、これらを連結する２本のワイヤー５２とからなる。
図６（ａ）に示すように、各蓋体５１は、繊維強化硬質樹脂発泡体を素材とする合成木材からなる長尺板であって、一側縁に長手方向に沿って鍔部５１１が立設されている。鍔部５１１は、その両端部に、挿通されるワイヤー５２の外径よりも若干大きな内径を有するワイヤー挿通孔５１１ａ，５１１ａを有している。
【００３０】
この浮蓋５は、多数の蓋体５１が並列に並べられ、各蓋体５１の両端部の金具５１１のワイヤー挿通孔５１１ａに、それぞれ、ワイヤー５２が挿通されるようにして、２本のワイヤー５２により、相互間に間隔が可変状態にて連結された構造となっている。
この多数の浮蓋５１は、図６（ｂ）に示すように、保管時や運搬時にスタック性を有するので好ましい。
【００３１】
図７は本発明の浮蓋の更に別の例を示す説明図である。
この浮蓋６は、多数の長方形の蓋体６１と、これらを連結する２本のワイヤー６２とからなる。
各蓋体６１は、繊維強化硬質樹脂発泡体を素材とする合成木材からなる枠体６１１の上面に、ネット、フィルム、板、多孔板等からなる遮光材が６１２が貼設されたものからなる。
尚、枠体の材質は、塩化ビニル樹脂等の合成樹脂からなるパイプを連結したものがあっても構わない。
枠体６１１の縦枠６１１ａ，６１１ａは、その両端部に、挿通されるワイヤー６２の外径よりも若干大きな内径を有するワイヤー挿通孔を有している。
【００３２】
この浮蓋６は、多数の蓋体６１が並列に並べられ、各蓋体６１の両端部のワイヤー挿通孔６１１ｂに、それぞれ、ワイヤー６２が挿通されるようにして、２本のワイヤー６２により、相互間に間隔が可変状態にて連結された構造となっている。
【００３３】
図８は本発明の浮蓋の更に別の例を示す説明図である。
この浮蓋７は、多数の長方形の蓋体７１と、これらを連結する２本のワイヤー７２，７２とからなる。
各蓋体７１は、繊維強化硬質樹脂発泡体を素材とする合成木材からなる長尺板であって、両端部の両側縁部の上部に設けられた凹部に収納されるように、ワイヤー連結用の金具７１１，７１１，７１１，７１１が固定されている。
【００３４】
各金具７１１は、図９（ｂ）にも示すように、その頂部が蓋体７１の上面よりも低くなるように蓋体７１の凹部内に固定されており、挿通されるワイヤー７２の外径よりも若干大きな内径を有するワイヤー挿通孔７１１ａを有している。
また、図９（ａ）にも示すように、各蓋体７１のワイヤー７２に対応する部分には幅方向に沿って凹溝７１２が設けられており、ワイヤー７２が凹溝７１２内に収納できるようにされている。
【００３５】
図８に示すように、この浮蓋７は、多数の蓋体７１が並列に並べられ、各蓋体７１の両端部の金具７１１，７１１の各ワイヤー挿通孔７１１ａに、それぞれ、ワイヤー７２が挿通されるようにして、２本のワイヤー７２により、相互間に間隔が可変状態にて連結された構造となっている。
このような構造とすることにより、水槽や水路の処理水上に浮かべて使用した状態から、ぐるぐる巻きに巻き上げるようにして開蓋したときに、金具やワイヤーを蓋体の上面から突出しない状態となすことができるので、巻き上げが容易となる。
【００３６】
図１０は本発明の浮蓋の更に別の例を示す説明図である。
この浮蓋８は、多数の長方形の蓋体７１と、これらを連結する２本のワイヤー８２，８２とからなる。
各蓋体８１は、繊維強化硬質樹脂発泡体を素材とする合成木材からなる長尺板であって、両端部の両側縁部の上部に凹部が設けられ、その凹部に取手８１１，８１１，８１１，８１１が回動自在に固定されている。各取手８１１はその頂部が蓋体８１の上面より突出しないように凹部に収納できるようになっている。
各取手８１１には、挿通されるワイヤー８２の外径よりも大きな孔８１１ａを有していおり、その孔８１１ａにワイヤー８２を挿通することができるようになっている。
また、各蓋体８１のワイヤー８２に対応する部分には幅方向に沿って凹溝が設けられており、ワイヤー８２が凹溝内に収納できるようになっている。
【００３７】
この浮蓋８は、多数の蓋体８１が並列に並べられ、各蓋体８１の両端部の取手８１１，８１１の各孔８１１ａに、それぞれ、ワイヤー８２が挿通されるようにして、２本のワイヤー８２により、相互間に間隔が可変状態にて連結された構造となっている。
このような構造とすることにより、水槽や水路の処理水上に浮かべて使用した状態から、ぐるぐる巻きに巻き上げるようにして開蓋したときに、取手やワイヤーを収納した状態となすことができるので、巻き上げが容易となる。
【００３８】
上記の浮蓋１〜８は、水槽や水路Ｓの処理水上に浮かべて使用した状態から、開蓋するには、図１１に示すように、例えば、水槽や水路Ｓの処理水上に浮かべた浮蓋２を、心棒Ｂの一端にハンドルＨを取り付けた巻上げ具Ｍを用いて、その心棒Ｂにワイヤー２２，２２の一端を結び付けた後、ハンドルＨを回して、心棒Ｂの周りに浮蓋２をぐるぐる巻きに巻き上げるようにする。この際、巻上げ具Ｍの心棒Ｂの両側部を、それぞれ、水槽や水路の構造物Ｋに縦方向に固定された一対のガイドＧ，Ｇの間に通すようにすれば、より巻上げを容易に行うことができる。
【００３９】
図１２は本発明の浮蓋の更に別の例を示す説明図である。
この浮蓋９は、多数の長方形の蓋体９１１，９１２，９１３・・・と、これらを連結する多数の蝶番９２１，９２２，９２３・・・からなる。
第１の蓋体９１１の両端部の他側縁側の上部には、第１の蝶番９２１，９２１の一半部が固定されている。この第１の蝶番９２１，９２１の他半部は、第２の蓋体９１２の両端部の一側縁側の上部に固定されている。従って、第１の蓋体９１１の両端部の他側縁側の上部と、第２の蓋体９１２の両端部の一側縁側の上部との間が、第１の蝶番９２１，９２１にて連結されていて、相互間が上側に倒すように折りたたむことができるようになっている。
【００４０】
第２の蓋体９１２の両端部の他側縁側の下部には、第２の蝶番９２２，９２２の一半部が固定されている。この第２の蝶番９２２，９２２の他半部は、第３の蓋体９１３の両端部の一側縁側の上部に固定されている。従って、第２の蓋体９１２の両端部の他側縁側の上部と、第３の蓋体９１３の両端部の一側縁側の上部との間が、第２の蝶番９２２，９２２にて連結されていて、相互間が下側に倒すように折りたたむことができるようになっている。
【００４１】
以下同様にして、多数の長方形の蓋体９１１，９１２，９１３・・・の隣接する側縁部間が、多数の蝶番９２１，９２２，９２３・・・にて、上下互い違いに連結されていて、図１２（ｃ）に示すような状態に折りたたむことができるようになっている。
【００４２】
【発明の効果】
本発明の浮蓋は、上記のとおりの構成とされているので、構造が簡単で軽量であるので、水槽や水路等の駆体に荷重をかけることなく、簡単に水槽や水路を覆ってその遮光や防臭を行うことができ、また、水槽や水路の処理水上に浮かべて使用した状態から開蓋する際にも、ぐるぐる巻きに巻き上げるたり、折りたたむようにして場所をとることなく簡単に収納することができ、且つ安価である。
【図面の簡単な説明】
【図１】本発明の浮蓋の一例を示す説明図であり、（ａ）はその平面図、（ｂ）はその正面図である。
【図２】図１に示す浮蓋の使用態様を説明する斜視図である。
【図３】本発明の浮蓋の別の例を示す説明図であり、（ａ）はその平面図、（ｂ）はその側面図である。
【図４】本発明の浮蓋の更に別の例を示す説明図であり、（ａ）はその平面図、（ｂ）はその側面図である。
【図５】本発明の浮蓋の更に別の例を示す斜視図である。
【図６】本発明の浮蓋の更に別の例を示す説明図であり、（ａ）はその斜視図、（ｂ）はその側面図である。
【図７】本発明の浮蓋の更に別の例を示す説明図であり、（ａ）はその平面図、（ｂ）はその側面図である。
【図８】本発明の浮蓋の更に別の例を示す説明図であり、（ａ）はその平面図、（ｂ）はその正面図である。
【図９】図８に示す浮蓋に使用される金具の説明図であり、（ａ）はその平面図、（ｂ）はその正面図である。
【図１０】本発明の浮蓋の更に別の例を示す説明図であり、（ａ）はその平面図、（ｂ）はその側面図である。
【図１１】上記の浮蓋を開蓋するときの方法の説明図であり、（ａ）はその斜視図、（（ｂ）はその平面図である。を説明する斜視図である。
【図１２】本発明の浮蓋の更に別の例を示す説明図であり、（ａ）はその平面図、（ｂ）はその側面図、（ｃ）はその折りたたんだ状態を示す側面図である。
【図１３】従来例の一例を示す斜視図である。
【図１４】従来例の別の例を示す斜視図である。
【符号の説明】
１，２，３，４，５，６，７，８，９  浮蓋
１１，２１，３１，４１，５１，６１，７１，８１，９１１，９１２，９１３蓋体
１２，２２，３２，４２，５２，６２，７２，８２  ワイヤー
２３  スペーサー
１１１，２１１，３１１，４１１，７１１  金具
９２１，９２２，９２３  蝶番
【図１】
2004238041.tif 000003
【図２】
2004238041.tif 000004
【図３】
2004238041.tif 000005
【図４】
2004238041.tif 000006
【図５】
2004238041.tif 000007
【図６】
2004238041.tif 000008
【図７】
2004238041.tif 000009
【図８】
2004238041.tif 000010
【図９】
2004238041.tif 000011
【図１０】
2004238041.tif 000012
【図１１】
2004238041.tif 000013
【図１２】
2004238041.tif 000014
【図１３】
2004238041.tif 000015
【図１４】
2004238041.tif 000016